(57)【特許請求の範囲】
【請求項１】
透明な原稿台上に載置された原稿を、上部より原稿台へと押圧するために開閉可能に設けられた原稿カバーを備え、上記原稿台上の原稿の画像を光学的に走査し、読取素子に結像することで、画像を読取るようにしてなる画像読取装置において、
上記原稿台に反射原稿を載置する領域と透過原稿を載置する領域とを設け、
上記原稿カバーにおける、上記原稿台に載置される透過原稿と対応した位置に拡散板を設け、
上記反射原稿の読取走査時に、上記原稿の画像を読取走査するための走査光学系を上記原稿台に沿って一定速度で走査し、
透過原稿の領域を走査する時に、上記走査光学系側に設けられた露光ランプを停止させ、該露光ランプからの光を上記拡散板に入射させる反射部材を上記原稿カバー側に配置してなり、上記拡散板に入射した光を透過原稿の背面より照射できるようにし、
上記走査光学系による透過原稿の読取走査時に、その走査速度を、走査方向に徐々に遅くするように制御したことを特徴とする画像読取装置。
【請求項２】
透明な原稿台上に載置された原稿を、上部より原稿台へと押圧するために開閉可能に設けられた原稿カバーを備え、上記原稿台上の原稿の画像を光学的に走査し、読取素子に結像することで、画像を読取るようにしてなる画像読取装置において、
上記原稿台に反射原稿を載置する領域と透過原稿を載置する領域とを設け、
上記原稿カバーにおける、上記原稿台に載置される透過原稿と対応した位置に拡散板を設け、
上記反射原稿の読取走査時に、上記原稿の画像を読取走査するための走査光学系を上記原稿台に沿って一定速度で走査し、
透過原稿の領域を走査する時に、上記走査光学系側に設けられた露光ランプを停止させ、該露光ランプからの光を上記拡散板に入射させる反射部材を上記原稿カバー側に配置してなり、上記拡散板に入射した光を透過原稿の背面より照射できるようにし、
上記走査光学系による透過原稿の読取走査時に、その走査速度を、上記反射原稿を走査する時の走査速度より遅く制御し、遅く制御したことによる上記読取素子への光の蓄積時間を上記反射原稿による蓄積時間より長く設定したことを特徴とする画像読取装置。
【請求項３】
上記透過原稿の読取走査に伴って、露光ランプの輝度を上げるために、供給電流を多くするか、２本の露光ランプを設け、該２本の露光ランプを点灯制御するようにしたことを特徴とする請求項１又は２記載の画像読取装置。
【請求項４】
上記請求項１記載の画像読取装置において、走査光学系の走査速度を徐々に遅くするに従って、読取素子への透過原稿からの光像の蓄積時間を徐々に長く制御するようにしたことを特徴とする画像読取装置。
【請求項５】
透明な原稿台上に載置された原稿を、上部より原稿台へと押圧するために開閉可能に設けられた原稿カバーを備え、上記原稿台上の原稿の画像を光学的に走査して読取素子へと結像することで読取るようにしてなる画像読取装置において、
上記原稿台に反射原稿を載置する領域と透過原稿を載置する領域とを設け、
上記原稿カバーにおける、上記原稿台に載置される透過原稿と対応した位置に拡散板を設け、
上記反射原稿の読取走査時に、上記原稿の画像を読取走査するための走査光学系を上記原稿台に沿って一定速度で走査し、
透過原稿の領域を走査する時に、上記走査光学系側に設けられた露光ランプを停止させ、該露光ランプからの光を上記拡散板に入射させる反射部材を上記原稿カバー側に配置してなり、上記拡散板に入射した光を透過原稿の背面より照射できるようにし、
上記拡散板に透過原稿の走査方向に沿って徐々に反射率が高くなる反射板を設けたことを特徴とする画像読取装置。
【請求項６】
上記透過原稿の走査開始部分と走査終了部分での読取走査における光量を検出し、その検出結果に応じて走査光学系による透過原稿の走査速度を制御するようにしたことを特徴とする請求項１又は５記載の画像読取装置。
【発明の詳細な説明】
【０００１】
【発明の属する技術分野】
本発明は画像を読取るための読取装置にかかり、特に原稿を透明の載置台（原稿台）に載置した状態で原稿を画像を読取る時に、透過原稿をも合わせて読取り可能にしてなる画像読取装置に関する。
【０００２】
【従来の技術】
画像形成装置は、入力されてくる画像データを目視できる状態に可視像化し、これをハードコピーとして出力するよにしている。この画像形成装置は、例えばデジタル複写機によれば、主にガラスで構成される透明な原稿台面上に置かれた原稿に対して、これを光源から発せられる光で光走査し、得られた反射光を読取素子であるＣＣＤ等の光電変換素子の受光部に撮像し、それぞれの素子により光電変換された画像データを入力し、これを感光体上に可視像化のために再生し、最終的にシート等に転写し、ハードコピーを出力するようにしている。
【０００３】
また、画像形成装置としては、上述したようにデジタル複写機に限られることなく、例えばパーソナルコンピュータや、ワードプロセッサ等の情報処理装置にて作成された画像データを目視できるように再生し、これをハードコピーとして出力するプリンタ、例えばレーザプリンタや、インクジェットプリンタ、サーマルプリンタ等が存在する。
【０００４】
上述したように画像形成装置は、ユーザが所望する再生画像を提供できるように構成されている。これに対して、画像形成装置等に画像データを入力するための装置としては、上述したように透明なガラス等にて形成された載置台、つまり原稿台に原稿を載置し、この載置された原稿の画像を読取手段を介して読取り、この読取データを、画像形成装置にて再生できるように画像処理を行い、これを画像データとして出力するようにした画像読取装置、通称スキャナがある。
【０００５】
このスキャナは、デジタル複写機、ファクシミリ等に常設されており、またパーソナルコンピュータ等に接続され、パーソナルコンピュータ側で所望の画像を編集処理されるようになっている。
【０００６】
以上のような役割を担う画像読取装置（スキャナ）は、通常反射原稿による画像の読取りを行うようにしたものが主流である。そこで、反射原稿だけでなく、必要に応じて透過原稿を任意に読取りができるようにしたものが提案され、実施に供されるようになった。
【０００７】
例えば、特開平９−１９１３６８号公報には、反射原稿の画像を読取るための透明な原稿台とは別に、透過原稿を読取るための透明なフィルム載置台を設けている。上記原稿台の下部には載置される反射原稿からの反射光を読取ユニットを構成するＣＣＤへと結像する走査光学系が配置されいる。そして、上記フィルム載置台上の透過原稿を読取走査を行う場合には、上記走査光学系の走査を停止した状態で、該走査光学系の光路の一部に、所定の速度で移動させて、同一光学系を用いて透過原稿の画像を読取るようにしている。
【０００８】
また、特開平６−３１５０６７号公報には、反射原稿を読取るために設けられた原稿台に隣接して、別構成の透過原稿をセットし投影し読取るようにしてなるプロジェクタを配置する構成の画像読取装置が開示されている。この画像読取装置によれば、反射原稿に対して光学的に走査する走査光学系を上記プロジェクタとは別に設け、読取ユニットを構成するＣＣＤに結像して画像を読取る。そして、プロジェクタにて投影される位置に、上記ＣＣＤを走行させるようにして走査し、これにより透過原稿の画像を読取るようにしている。この装置においては、ＣＣＤを透過原稿及び反射原稿の読取用に兼用したもので、ＣＣＤに像を結像させるための光学系を別々に設けるようにしている。
【０００９】
さらに、特開平６−８６０２０号公報には、反射原稿及び透過原稿を載置する共用の原稿台及び原稿を光照射する光源を共通に利用して画像を読取装置が開示されている。この装置によれば、原稿台を界にして、原稿台上部に透過原稿の読取ユニットを、原稿台下部に反射原稿の読取ユニットを個別に設けるようにしている。従って、それぞれの読取ユニットにはそれぞれにＣＣＤが設けられている。従って、上述したような公報に記載の画像読取装置とは、同一のＣＣＤを用いる点で相違するものの、同一の原稿台を用いて画像読取りを行える。
【００１０】
【発明が解決しようとする課題】
以上のように、従来による反射原稿及び透過原稿を可能にした画像読取装置によれば、画像を読取るための光学系の一部を共用する点が示唆されている。しかし、反射原稿及び透過原稿を異なる位置に配置して読取る場合、それぞれの原稿を載置（セット）する個別の領域を設ける必要がある。この場合、セット状態を間違えれば、正常な画像読取を行えなくなる。そのため、特開平６−８６０２０号公報によれば、同一原稿台に反射原稿又は透過原稿を載置するようにしているため、載置位置を間違えることはなくなる。
【００１１】
しかし、読取位置がそれぞれの原稿に対して異なるため、原稿に対して拡散板又は反射板を取り換えて使用する必要がある。このような取り換え作業は非常に面倒であり、その時に間違えて取り付ける危険性も残る。
【００１２】
一方、特開平６−３１５０６７号公報記載の読取装置によれば、上述したように透過原稿を所定の位置に結像させるためのプロジェクタを設けており、その結像位置をＣＣＤが横切るように走査させることで、透過原稿の画像を読取るようにしている。そのため、画像読取装置全体が非常に大きくなる。またプロジェクタを含む反射原稿の画像を読取るための光学系が非常に大掛かりなものとなり、コスト高にもなる。つまり、透過原稿と反射原稿の結像用のレンズ及び反射ミラー等を別途設ける必要があり、走査光学系のコストが高くなる。
【００１３】
この点、特開平９−１９１３６８号公報記載の画像読取装置によれば、反射原稿を読取る光路中に反射原稿を横切るように搬送するようにしている。そのため、反射原稿の走査光学系の一部を利用できる点で、走査光学系におけるコストが高くなるのを押させることができる。しかし、透過原稿を載置するフィルム載置部を備え、該載置部を上記光学系の光路へと搬送する必要があり、そのための機構が複雑になる。またフィルム載置部上に透過原稿が載置されるだけで、透過原稿のフィルムを保持する構成でないため、落下やずれ等の問題が残る。
【００１４】
また、特開平６−８６０２０号公報記載の画像読取装置によれば、透過原稿及び反射原稿を光学的に走査する位置に共通に載置できるため、原稿を載置する面倒な操作が解消させることは説明した通りである。しかし、透過及び反射原稿を読取るためのＣＣＤを含む読取ユニットが２個必要となり、その点でのコストが高くなる。また、２個の個別の読取ユニットを設けるため、装置全体が大きくなる。特に、原稿台を挟んで読取ユニットを配置する必要性から、上下方向の嵩がどうしても高く、装置の小型化を望めない。
【００１５】
以上のように従来の透過及び反射原稿の画像を読取るための装置は、いずれにしても画像読取装置全体がどうしても大きくなる。また、画像読取装置を薄型化することもできない。また、画像の読取走査を行う走査光学系を全て共用していないため、上述したように装置の小型化が行えず、コスト的にもどうしても高くなっている。
【００１６】
そこで、読取ユニットを共用し、同一面側で反射又は透過原稿の読取走査を行う場合には、特開平８−１９１３６８号公報や、特開平６−３１５０６７号公報に記載しているように、同一ＣＣＤの受光面にそれぞれの像を結像するための走査光学系に工夫をこらす必要がある。その手段として、例えば、特開平９−３２１９５７号公報記載の読取装置が提案されている。
【００１７】
この公報記載の画像読取装置は、反射原稿及び透過原稿を読取るために、同一の原稿台を用い、かつ同一光源、同一走査光学系、同一読取ユニットを設けて行えるように構成されており、上述した各種の不具合を解消し、装置全体の小型化及びコスト低減を可能にしている。
【００１８】
この公報記載の装置は、反射及び透過原稿の上部（背面）を反射板を設けたカバーを覆うように構成し、原稿台の下部に設けられた露光ランプからの光を原稿台側へと照射する。そして、反射原稿の場合には、その原稿からの反射光を、ＣＣＤに結像され、透過原稿の場合には、一度透過原稿を通過させ、背面の反射板にて反射させ、再度透過原稿を通過させて上記ＣＣＤへと結像させる。そのために、反射原稿又は透過原稿からの光を上記ＣＣＤへと結像されるために、一つの入射鏡（反射ミラー）を反射原稿又は透過原稿に応じた位置へと移動制御するようにしている。
【００１９】
従って、同一原稿台上に反射又は透過原稿を載置でき、同一光源、同一読取ユニットにて画像の読取りを可能にできるため、上述したように小型化、コスト低減を図ることができる。合わせて同一原稿台上にそれぞれの原稿を載置できるため、載置間違い等による不具合を解消できる。
【００２０】
しかし、透過原稿の読取りにおいて、透過原稿を２度も光が通過することでＣＣＤ上に結像させる必要があるため、読取精度を向上できず、解像度等の問題が残る。つまり、２度通過する時の透過原稿の通過位置がそれぞれ異なるため、２重に画像の読取りを行うことが考えられる。
【００２１】
本発明は、小型化及びコスト低減を可能にしてなる画像読取装置を提供するものでもある。
【００２２】
特に、本発明の第１の目的は、透過原稿及び反射原稿を同一原稿台上で光学的に走査でるようにし、装置の小型化を可能にすることにある。
【００２３】
また、本発明の目的は、透過原稿の読取りにおいて、反射原稿と同一の走査光学系を用い、かつ同一読取ユニットを用い、かつ同一面側で読取りを可能にし、さらに反射原稿による読取りにおいて、本来の透過原稿の読取りによる背面からの光照射を可能にすると同時に、その時の生じる光量不足等を補い、良好なる読取りを可能にしてなる画像読取装置、つまりスキャナを提供することにある。
【００２４】
【課題を解決するための手段】
上述した目的を達成するための本発明による第１の画像読取装置は、透明な原稿台上に載置された原稿を、上部より原稿台へと押圧するために開閉可能に設けられた原稿カバーを備え、上記原稿台上の原稿の画像を光学的に走査し、読取素子に結像することで、画像を読取るようにしてなる画像読取装置において、上記原稿台に反射原稿を載置する領域と透過原稿を載置する領域とを設け、上記原稿カバーにおける、上記原稿台に載置される透過原稿と対応した位置に拡散板を設け、上記反射原稿の読取走査時に、上記原稿の画像を読取走査するための走査光学系を上記原稿台に沿って一定速度で走査し、透過原稿の領域を走査する時に、上記走査光学系側に設けられた露光ランプを停止させ、該露光ランプからの光を上記拡散板に入射させる反射部材を上記原稿カバー側に配置してなり、上記拡散板に入射した光を透過原稿の背面より照射できるようにし、上記走査光学系による透過原稿の読取走査時に、その走査速度を、走査方向に徐々に遅くするように制御する構成である。
【００２５】
このような構成とすることで、露光ランプを透過原稿の走査開始により停止させ、他の走査光学系を透過原稿に沿って光学的に走査する時に、その走査速度を徐々に遅くするようにしている。これは、露光ランプを停止することで、露光ランプより離れるに従って光量が低下することを考慮し、その低下を補うために、読取素子への受光の蓄積時間を長くするようにしている。
【００２６】
また、この読取素子、例えばＣＣＤ素子への蓄積時間は、露光ランプの点灯時間、またシャッター機能付きＣＣＤにおいては、シャッターの駆動時間を制御することで簡単に行える。そのため、１ライン走査に要する時間が徐々に長くなる分、ＣＣＤへの透過原稿からの光像の蓄積時間を走査方向に沿って、徐々に長くでき、光量不足を補い、良好なる読取りを可能にできる。
【００２７】
上述した作用効果に合わせて、透過原稿は反射原稿と同一の原稿台上に載置でき、同一光源、同一走査光学系、同一読取系にて画像の読取を行え、装置全体の小型化、及びコスト上昇を抑えることができる。
【００２８】
また、上述した目的を達成するための本発明の第２の画像形成装置は、透明な原稿台上に載置された原稿を、上部より原稿台へと押圧するために開閉可能に設けられた原稿カバーを備え、上記原稿台上の原稿の画像を光学的に走査し、読取素子に結像することで、画像を読取るようにしてなる画像読取装置において、上記原稿台に反射原稿を載置する領域と透過原稿を載置する領域とを設け、上記原稿カバーにおける、上記原稿台に載置される透過原稿と対応した位置に拡散板を設け、上記反射原稿の読取走査時に、上記原稿の画像を読取走査するための走査光学系を上記原稿台に沿って一定速度で走査し、透過原稿の領域を走査する時に、上記走査光学系側に設けられた露光ランプを停止させ、該露光ランプからの光を上記拡散板に入射させる反射部材を上記原稿カバー側に配置してなり、上記拡散板に入射した光を透過原稿の背面より照射できるようにし、上記走査光学系による透過原稿の読取走査時に、その走査速度を、上記反射原稿を走査する時の走査速度より遅く制御し、遅く制御したことによる上記読取素子への光の蓄積時間を上記反射原稿による蓄積時間より長く設定したことを特徴とする。
【００２９】
つまり、この構成において、反射原稿による光学系の走査速度より遅い速度で、透過原稿の走査速度を設定して走査する。これにより１ラインに走査にようする読取周期の時間が長くなる。その長くなる分を利用して、読取素子への透過原稿からの光像による蓄積時間を長く設定できる。そのため、透過原稿を読取走査を行う時の光量不足を補い、良好なる読取りを行える。このような画像読取装置においても、上述した第１の画像読取装置同様に、小型化、及びコスト上昇を抑制できる。
【００３０】
さらに、上述した第１及び第２の画像形成装置の構成において、上記透過原稿の読取走査に伴って、露光ランプの輝度を上げるために、供給電流を多くするか、２本の露光ランプを設け、該２本の露光ランプを点灯制御するように構成しておけば、透過原稿を読取走査を行う時の絶対的な光量不足を簡単に補うことができる。そのために、透過原稿の走査開始前の検出光量に応じて、露光ランプの輝度、２本ランプの駆動制御を行える。
【００３１】
また、上述した目的を達成するための本発明による第３の画像形成装置は、透明な原稿台上に載置された原稿を、上部より原稿台へと押圧するために開閉可能に設けられた原稿カバーを備え、上記原稿台上の原稿の画像を光学的に走査して読取素子へと結像することで読取るようにしてなる画像読取装置において、上記原稿台に反射原稿を載置する領域と透過原稿を載置する領域とを設け、上記原稿カバーにおける、上記原稿台に載置される透過原稿と対応した位置に拡散板を設け、上記反射原稿の読取走査時に、上記原稿の画像を読取走査するための走査光学系を上記原稿台に沿って一定速度で走査し、透過原稿の領域を走査する時に、上記走査光学系側に設けられた露光ランプを停止させ、該露光ランプからの光を上記拡散板に入射させる反射部材を上記原稿カバー側に配置してなり、上記拡散板に入射した光を透過原稿の背面より照射できるようにし、上記拡散板に透過原稿の走査方向に沿って徐々に反射率が高くなる反射板を設けたことを特徴とする。
【００３２】
このような構成とすることで、透過原稿を背面から露光する時の光量を走査方向全体で均一な分布状態にすることが可能になる。そのため、透過原稿を走査する時に、走査方向での光量低下を補うために、走査速度を徐々に遅くしたり、読取素子への光像の蓄積時間を徐々に長くするような走査を必要とせず、一定速度、一定周期で蓄積時間の制御を行える。そのため、制御回路の負担を軽減でき、コスト低減を可能にできる。
【００３３】
また、上述した第１及び第３の画像読取装置の構成において、上記透過原稿の走査開始部分と走査終了部分での読取走査における光量を検出し、その検出結果に応じて走査光学系による透過原稿の走査速度を制御する構成としておくことで、走査開始時点と走査終了時点での光量低下を簡単に認識できる。そして、その認識結果による走査光学系の走査速度を制御するようにすれば、さらに良好なる画像の読取りを可能にできる。
【００３４】
以上説明したように、上述した構成の画像読取装置においては、同一の原稿台上には、反射原稿及び透過原稿を載置でき、その載置ミスを無くすことができ、同一走査系、同一読取系にて画像読取りを可能にしているため、装置全体を小型化、コスト低減が可能になることは勿論である。また、透過原稿を走査して読取る時に、露光走査における光量不足、低下等を補い、良好なる読取りを可能にできる。
【００３５】
【本発明の実施の形態】
本発明の実施形態について以下に図面を参照に詳細に説明する。図１は本発明における画像読取装置であるスキャナの内部構造を示す構成図である。また、図２は本発明にかかる反射及び透過原稿の読取走査のための走査光学系を構成する光源（露光ランプ）の駆動制御、及び読取素子であるＣＣＤの制御を説明するためのブロック図、図３は図２のタイミングチャートの一例を示している示している。
【００３６】
上記図１に示すスキャナ、つまり画像形成装置は、スキャナ単体で示している。このスキャナはデジタル複写機によれば、複写機本体の上部に常設されており、例えば下部には画像形成装置本体が装備されている。またファクシミリ装置においても同様に常設されている。また、パーソナルコンピュータにおいては、通信ケーブル等を介して接続され、読取指令に基づいてスキャナ側では原稿の画像の読取りを行い、その読取った画像データをパーソナルコンピュータへと送るようになっている。
【００３７】
まず、図１に基づいて、本発明にかかる画像読取装置の全体の構成を簡単に説明し、その後に本発明の実施形態を説明することにする。
【００３８】
画像読取装置であるスキャナ１本体は、上部に開閉可能に原稿カバー２が設けられている。この原稿カバー２は、スキャナ１上部の透明ガラス等からなる原稿の載置部を構成する原稿台３に対応して開閉されるもので、その一側端部４が、スキャナ１上部本体側に軸支されている。
【００３９】
原稿カバー２は、樹脂等にて形成された外装に、原稿台３と対向する面側に白色の押圧シートを設けており、該白色押圧シートは、例えばスポンジ部材からなる押圧部材２１上に貼り付けられている。従って、原稿カバー２を閉じることで、原稿台３上に載置された原稿を原稿台３面へと押圧部材２１の作用により押圧し、密着させることができる。
【００４０】
上記原稿台３は、反射原稿５及び透過原稿６を区別して載置できる領域を有するように一体化されている。つまり原稿台３は１枚ものの透明なガラス板から構成されており、スキャナ１本体の上部に保持されている。この原稿台３の画像走査方向における左側の領域は、反射原稿５を載置する領域であり、その左先端部分には、原稿５を載置する基準端縁３ａを有している。この基準端縁３ａの下部の原稿台３面上には、シェーディング補正用のホワイトバランス板７が設けられている。
【００４１】
また、原稿台３の画像走査方向の右側は、透過原稿６の載置領域を構成しており、その領域の左側には透過原稿６の一端を揃える基準端縁３ｂを構成すると共に、透過原稿のシェーディング補正用のホワイトバランス板８が貼り付けられている。従って、原稿台３は画像を以下に説明する走査光学系による走査方向に沿って、それぞれ区別するように反射原稿の載置領域と透過原稿の載置領域とに区分されている。
【００４２】
この原稿台３に対応し開閉可能な原稿カバー２は、上述したように反射原稿５を上部より押圧し、原稿台３面へと密着させるためのスポンジ構造の押圧部材２１が設けられている。この押圧部材２１の原稿台３との対向面には白色シートが貼り付けられている。押圧部材２１は、最大読取可能サイズの反射原稿５、例えばＡ４サイズの長手方向より多少大きく形成されている。また、透過原稿６に対応する領域には、透過原稿６の背面、つまり原稿台３と対向する面と反対側の面より光照射するための拡散板２２が、原稿カバー２に固定されて設けられている。そして、この拡散板２２に対応して後に説明するが光源からの光を拡散板２２の一つの側面より入射させるための反射部材を構成する反射ミラー２３が合わせて原稿カバー２側に固定配置されている。
【００４３】
原稿カバー２は、上述したようにスキャナ１本体の一側端部４に軸支されているため、その位置を中心として、図１において右上方向に回動され、開放される。この状態で、原稿台３が露出し、透過原稿６を読取る場合には、その原稿６の一側端を基準端縁３ｂに揃うように載置する。また、反射原稿５の画像読取りを行う時には、その原稿５の一側端を基準端縁３ａに揃えるように載置する。載置後、原稿カバー２を閉成すれば、それぞれの原稿５，６が原稿台３に密着されることになる。
【００４４】
一方、原稿台３の下部のスキャナ１本体内には、載置された原稿５又は６の画像を読取るための走査光学系９が設けられている。この走査光学系９は、周知の通りであり原稿に光照射する露光ランプ９０、原稿からの反射光を読取ユニット１０を構成する１ラインイメージセンサであるＣＣＤ１１への光路を構成するために反射する複数の反射ミラー９１，９２，９３を備えている。
【００４５】
上記走査光学系９は、第１走査部材９４と第２走査部材９５とを個別に備えて構成されている。そして、第１走査部材９４の走査速度Ｖに対して、第２走査部材９５の走査速度は、Ｖ／２に設定されてそれぞれが駆動走査される。
【００４６】
上記第１走査部材９４には、上述したように露光ランプ９０及び原稿からの反射光又は透過光を必要な光路、特に読取ユニット１０のＣＣＤ１１の受光面へと導く第１反射ミラー９１が保持されている。そして、第２走査部材９５には上記第１反射ミラー９１からの反射光をＣＣＤ１１への受光面へと反射する１組の第２及び第３反射ミラー９２，９３が保持されている。
【００４７】
上記第１及び第２走査部材９４，９５は、例えば図１においてホームポジション位置の左側から右側に走査させるために、図示しない例えば２本の平行配置されたスライド軸に移動可能に支持されている。スライド軸は、図１において左右方向に配置されている。そして、第１及び第２支持部材９４，９５には、ワイヤ、タイミングベルト等の走行駆動する走行部材９６が連結されている。
【００４８】
ここで、第１走査部材９４及び第２走査部材９５を走行駆動するための走行部材９６を駆動する機構は、従来より周知の機構をそのまま用いられる。その機構そのものは本発明には直接関係なく、詳細は省略する。上述したように第１走査部材９４が、速度Ｖで走行部材９６を介して走行される時に、第２走査部材９５は、上記速度Ｖに対してＶ／２の速度で走行部材９６を介して走行されるように、走行部材９６を張架され、走行部材９６の一部が第１及び第２走査部材９４，９５に取り付けられている。
【００４９】
また読取ユニット１０は、上述したように１ラインイメージセンサであるＣＣＤ１１、上述した走査光学系９による原稿５又は６からの光像をＣＣＤ１１の受光面に結像させるための結像レンズ１２、ＣＣＤ１１を固定し電気的に配線してなる基板１３とを備えている。基板１３上には、ＣＣＤ１１からの読取った光量に応じた画素毎のアナログ信号を、必要に応じてデジタル信号に変換して画像データとして出力する回路を含めて配線されている。
【００５０】
上述したように反射原稿５は、その一端が原稿台３の基準位置３ａに揃えられて載置されれば、原稿カバー２が閉じられ、原稿台３へと密着される。その状態が図１に示されている。そこで、スキャナ１本体は、パーソナルコンピュータからの読取指令、又はスキャナ１本体側の操作パネル上の読取開始スイッチを操作することで読取動作が開始する。この時、走査光学系９による読取走査が開始される。そのため、露光ランプ９０が点灯駆動制御され、反射原稿５に沿って光学的に走査されることで、原稿５の画像が順次読取ユニット１０のＣＣＤ１１に結像される。つまり、第１支持部材９４が例えば速度Ｖで走行部材９６を介して走行される。そして、第２支持部材９５が同一方向に速度Ｖ／２で走行部材９６を介して走行される。
【００５１】
これにより、露光ランプ９０による光照射にて反射原稿５からの反射光が、走査光学系９の各反射ミラー９１，９２，９３を介してＣＣＤ１１に結像レンズ１２にて結像されていく。これにより、反射原稿５の全域の画像が順次光学的に走査され、ＣＣＤ１１にて読取られる。
【００５２】
（本発明の第１の実施形態）
上述したように図１において反射原稿５が順次読取られる走査は従来と同様である。そこで、透過原稿６においても、反射原稿５と同様に、同一の走査光学系９を走査することで読取りを行う構成について以下に説明する。
【００５３】
図１において、走査光学系９を構成する第１走査部材９４は、露光ランプ９０を支持する第１支持部であるランプキャリッジ９４ａと、反射ミラー９１を支持する第２支持部であるミラーキャリッジ９４ｂとから構成されている。このランプキャリッジラ及びミラーキャリッジ９４ａ，９４ｂは、互いに分離可能であり、連結部材１５にて通常は連結され、一体化された状態となっている。
【００５４】
連結部材１５は、図５に示すように両端部に対応して設けられた連結棒１６の一端がランプキャリッジ９４ｂに固定されており、この連結棒１６に対してミラーキャリッジ９４ｂが移動可能に設けられている。また連結棒１５の他端、つまりランプキャリッジ９４ｂの固定端とは反対側の端部には、フランジ１７が固定されており、このフランジ１７とミラーキャリッジ９４ｂの間に圧縮スプリング１８が介在されている。従って、圧縮スプリング１８の付勢力により、ミラーキャリッジ９４ｂがランプキャリッジ９４ａに密着される。そのため、ミラーキャリッジ９４ｂ側に走行部材９６の一部が固着されているため、ランプキャリッジ及びミラーキャリッジ９４ａ，９４ｂが一体となって同一方向に同一速度で図示しないスライド軸上を走行されることになる。
【００５５】
また、ランプキャリッジ９４ａ側には、両端の露光領域外の位置にランプキャリッジ９４ａを停止保持させるための係止突起１９が固定されている。この係止突起１９に対応して、スキャナ１本体側には図１に示すようにストッパ２０が設けられている。
【００５６】
従って、第１走査部材９４が走行部材９６を介してスライド軸上を走行されれば、第１走査部材９４を構成するランプキャリッジ９４ａに設けられた係止突起１９が、スキャナ１本体側に設けられたストッパ２０に当接する。この係止状態において、第１支持部９４ａに設けられた露光ランプ９０が、原稿カバー２に設けられた反射ミラー２３と対向する。また、第１走査部材９４がさらに右方向へと走査部材９６を介して走行駆動されると、ランプキャリッジ９４ａがその移動を係止突起１９とストッパ２０との当接で阻止されるため、ミラーキャリッジ９４ｂがスプリング１８の付勢力に抗してさらに右方向に走行される。そのため、原稿台３上に載置された透過原稿７からの透過光を反射ミラー９１にて反射し、光学的な走査を行える。
【００５７】
ここで、上記走査光学系９による走行駆動のための構造の一例を図６を参照して簡単に説明する。走査部材９６は、ワイヤ、タイミングベルト等の部材から構成されており、図示しない駆動源であるモータにて駆動される。そのため、モータにてワイヤ等の走行部材９６を移動させるようにしているが、これは走行部材９６が第１及び第２走査部材９４，９５に連結されている。そのため、従来周知の方法にて走行部材９６であるワイヤを第１及び第２走査部材９４，９５に複数のプーリを介して張架することで、第１走査部材９４をモータにて走行させれば、第２走査部材９５が１／２の速度で走行される。
【００５８】
例えば図６に示すように走行部材９６であるタイミングベルトを、第１走査部材９４を移動可能に支持してなるスライド軸に平行に両端を固定して張架する。このタイミングベルト９６に噛合う駆動ギア及び、この駆動ギアを駆動するモータをミラーキャリッジ９４ｂ側に設け、駆動モーラの回転速度に応じて第１走査部材９４を決められた速度で走行できる。そして、第１支持部９４ｂ側に一端を固定して第２走査部材９５に設けたプーリ９７を介して他端をスキャナ１本体側に固定したワイヤ９８を張架するようにしても、同様に第１走査部材９４の走行速度に対して、第２走査部材９５は１／２の速度で駆動される。なお、第２走査部材９５は、図示しないがスプリング等にて図６において左方向に付勢手段、例えばスプリング等にて常時付勢されている。これにより、第１走査部材９４の復帰（復動）動作（左方向の移動）により、第２走査部材９５も同様にスプリングにて復帰される。
【００５９】
このようにして、ランプキャリッジ及びミラーキャリッジ９４ａ，９４ｂを分離可能に連結部材１５にて一体的に構成しても、同様にして走行駆動できる。ここで、タイミングベルト９６は、ワイヤにて構成してもよく、またワイヤ９８はタイミングベルトにて構成してもよい。また、上記連結部材１５の連結棒１６は、透過原稿６を光学的に走査できる長さに設定されていることは勿論である。
【００６０】
以上のような構成のスキャナ１において、１つの原稿台３の同一面上に、反射原稿５及び透過原稿６を載置できるようにしており、載置の際に異なる位置にそれぞれの原稿を区別して配置する手間はなくなる。しかも、同一の走査光学系９を駆動走査することで、反射原稿５及び透過原稿６の画像を走査して、読取ることができるため、スキャナ１の高さ方向の嵩を押さえ、小型化、かつ薄型化が可能になる。また、同一の走査光学系９及び読取ユニット１０にて画像を読取ることができるため、機構が簡単になり、部品点数を押さえ、小型化に加えてコスト低下が可能になる。
【００６１】
そこで、上述ような構成によるスキャナ１において、以下にその理解を深めるためにも反射原稿５、透過原稿６の画像の読取作用について説明する。
【００６２】
まず、反射原稿５の画像読取を行う場合について説明する。
【００６３】
原稿カバー２を開放し、反射原稿５の一端部を原稿台３の基準端縁３ａに一致させて載置する。載置後、上部より原稿カバー２を閉じる。この状態で読取走査の開始を指令する。この指令は、スキャナ１本体の操作パネル上の開始スイッチであり、あるいはパーソナルコンピュータからの開始指令であり、またはデジタル複写機においてはコピー開始スイッチである。この指令を図示しない制御手段（ＣＰＵ）が受けると、走査光学系９が駆動される。
【００６４】
そのため、走行部材９６が駆動され、第１及び第２走査部材９４，９５が決められた速度で走行される。この時、第１及び第２走査部材９４，９５は予め決められたホムポジション位置から走行し、一定距離走行させることで、反射原稿５の画像先端より読取走査が開始される。そして、反射原稿５の画像読取走査を開始する前には、ホワイトバランス板７が先に光学的に走査される。この走査により、読取ユニット１０のＣＣＤ１１の個々の出力状態が確認され、これを記憶される。
【００６５】
このホワイトバランス板７を事前に読取るのは、ＣＣＤ１１の各読取セル毎の感度ムラや、露光ランプ９０の光量ムラ、さらにレンズ１２のムラ等を補正するためであって、所謂シェーディング補正に用いる。このホワイトバランス板７による読取結果は、図示しないＲＡＭ等の記憶部に一時的に記憶される。
【００６６】
そして、基準端縁３ａの位置の走査を開始することで、反射原稿５の画像読取走査が開始される。この読取結果は、読取ユニット１０のＣＣＤ１１を介して出力される画像データを逐次、基板１３上に配置されたメモリ等に記憶されていく。この場合、説明が前後することになるが、第１走査部材９４は、第１及び第２支持部であるランプキャリッジ及びミラーキャリッジ９４ａ，９４ｂが分離可能に設けられているが、連結部材１５にてそれぞれが密着されているため、一体となって走行される。
【００６７】
このような走査が継続し、反射原稿５の後端の走査を完了すれば、反射原稿５の１頁分の読取画像データが記憶され、必要に応じて外部装置へと出力処理される。この反射原稿５の後端は、予め載置された反射原稿５のサイズが判別されておれば、第１走査部材９４の走行距離が決まり、その距離を走行した時点で走査光学系９の走査を停止させる。そして、走査光学系９は、元のホームポジション位置へと逆方向に復帰走行される。この時の速度は、読取時の速度より通常速く設定されている。
【００６８】
上述したＣＣＤ１１より出力される読取データは、各読取セル毎のむらや光量むらを補正するシェーディング補正を行うために、先に説明したようにホワイトバランス板７の読取時の補正用の記憶データと除算処理され、鮮明な画像データとして出力処理される。この処理は、１頁分の画像データが記憶された後に、他の外部装置等へ出力処理する場合、シェーディング補正を行って出力される。または、ＣＣＤ１１による１ライン分の読取データに対して、その都度シェーディング補正処理を行い、それをメモリ等に記憶させる。
【００６９】
以上のようにして反射原稿５の画像読取走査が完了する。次に、透過原稿６の画像読取走査について説明する。そこで、透過原稿６を原稿台３上の透過原稿の載置領域に載置する。そのため、原稿カバー２を開き、透過原稿６の一端部をホライトバランス板８にて兼用されている端部の基準端縁３ｂに揃えて載置する。載置後、原稿カバー２を閉じる。
【００７０】
この状態で読取走査の開始を指令する。この指令は、先に説明した通りであり、スキャナ１本体の操作パネル上の開始スイッチであり、あるいはパーソナルコンピュータからの開始指令であり、またはデジタル複写機においてはコピー開始スイッチである。この指令を図示しない制御手段（ＣＰＵ）が受けると、走査光学系９を走行させる。この走査光学系９の走行駆動は、反射原稿５の読取走査の駆動と同様となるが、反射原稿５の画像読取を行わないために、反射原稿の載置領域についてはその移動走行を高速駆動する。
【００７１】
そして、走査光学系９が透過原稿６の走査領域に近づけば、透過原稿６を走査する走行速度に制御される。これにより、透過原稿６の読取時間を短縮できる。そのため、走査光学系９の移動距離は駆動系、例えばモータ等の回転角度、つまり速度エンコーダからの出力パスルをカウントすることで正確に把握できる。そして、走査光学系９の特に第１走査部材９４が透過原稿６の走査を開始する前の一定距離に達した状態で速度を走査速度に制御する。また、図示しないマイクロスイッチ等を透過原稿６の読取走査領域の手前に配置しておき、このマイクロスイッチの検知信号を利用し、走査光学系９の第１走査部材９４を、透過原稿の読取走査速度に制御する。
【００７２】
このようにして、走査光学系９が走行駆動され、透過原稿６の読取走査を開始する状態においては、図１に示すように第１走査部材９４を構成するランプキャリッジ９４ａの係止突起１９が、ストッパ２０に当接する。この時、ランプキャリッジ９４ａのこれ以上の移動が阻止され、その位置に停止保持される。そして、ランプキャリッジ９４ａに支持された露光ランプ９０が、原稿カバー２側に設けられた反射ミラー２３に対向した状態で停止している。そのため、露光ランプ９０の光は反射ミラー２３にて反射され拡散板２２へと導かれる。
【００７３】
拡散板２２は、従来より周知の通り、入射した光を例えば透過原稿６の載置面より全域で均一に照射するようになしたものである。そのため、ホワイトバランス板８を含む透過原稿６を背面から均一に光照射する。
【００７４】
これにより、ランプキャリッジ９４ａがストッパ２０にて停止されている位置において、ミラーキャリッジ９４ｂによる第１反射ミラー９１は、上記のホワイトバランス板８からの透過光を反射し、読取ユニット１０のＣＣＤ１１の受光面に結像する位置にある。そのため、ホワイトバランス板８によるＣＣＤ１１の出力をシェーディング補正のための補正データとして記憶しておく。
【００７５】
その後、ミラーキャリッジ９４ｂが走行部材９６を介して右方向にさらに移動走査されると、ランプキャリッジ９４ａより分離して連結棒１６に沿い、圧縮スプリング１８に抗して走行される。これにより、透過原稿６が拡散板２２を介して光照射されるる状態において、その透過光が第１反射ミラー９１にて順次反射される。その透過光は第２走査部材９５に保持された第２及び第３反射ミラー９２，９３にて反射され、結像レンズ１２を介して読取ユニット１０のＣＣＤ１１上に結像される。この場合、第２走査部材９５は、ミラーキャリッジ９４ｂが走行駆動されるため、同方向に１／２の速度で走行される。
【００７６】
上述したＣＣＤ１１に結像されることで、ＣＣＤ１１より光像に応じた出力がなされる。この出力される読取データは、ＣＣＤ１１の各読取セル毎のむらや光量むらを補正するシェーディング補正を行うために、先に説明したようにホワイトバランス板８による補正データとの除算処理等が行われた後に出力処理される。この処理は、１枚の透過原稿６の画像データが記憶された後、他の外部装置等へ出力処理する場合、上述したシェーディング補正を行って出力される。あるいは、ＣＣＤ１１による１ライン分の読取データに対してその都度シェーディング補正処理を行い、それがメモリ等に記憶される。
【００７７】
このようにして透過原稿６の読取走査を完了すれば、反射原稿５の読取走査の終了時に同様に復帰駆動が行われる。この復帰駆動においては、反射原稿５と同様であり読取走査による駆動速度より速く復帰駆動走行が行われる。この場合、ミラーキャリッジ９４ｂは圧縮スプリング１８の作用により復帰方向に付勢付勢され、ランプキャリッジ９４ａと密着した状態でランプキャリッジ９４ａを合わせた第１走査部材９４として復帰される。
【００７８】
以上のように、反射及び透過原稿５，６による画像読取りのための光学的な走査は、同一走査光学系９及び読取ユニット１０にて行える。ここで、反射原稿５と透過原稿６とを読取走査する時、その読取モード、つまり反射原稿の読取モードと、透過原稿の読取モードとを切換えて設定するようにしている。そのモードの切換は、走査前に事前に設定される。また、通常は反射原稿５の読取モードを設定しておき、透過原稿６の読取りを行う時には走査光学系９が透過原稿６の載置領域まで移動されることは上述した通りである。
【００７９】
そのため、第１走査部材９４を構成するランプキャリッジ９４ａがストッパ２０の位置まで移動し、係止突起１９が当接し、その移動が阻止された時点を検知する。そのため、ストッパ２０に位置に検知センサ等を配置しておく。そのため、係止突起１９にて検知センサが動作し、検知信号が出力される。その検知信号を用いて、透過原稿の読取モードに自動的に切換設定することができる。従って、オペレータはモードを切換設定を行う必要がなくなる。
【００８０】
しかも、原稿台３に載置される原稿は、通常載置されている状態が検知される。このような従来周知の原稿検知手段を設けておけば、その検知に応じたモードを自動的に切換設定できる。つまり、透過原稿６を原稿台３に載置すれば、それを原稿検知手段が検知する。この検知に応じて、走査光学系９は透過原稿６の走査領域まで走査される。そして、ストッパ２０の位置で検知された時点で、透過原稿の読取モードに切換制御できる。
【００８１】
上述の原稿の画像読取走査においては、反射原稿５又は透過原稿６を別々に読取走査を行うようにしている。そこで、反射原稿５及び透過原稿６を合わせて読取る必要が生じた時には、それぞれの領域に反射原稿５と透過原稿６を原稿台３上に載置する。そして原稿カバー２を閉じ、開始指令がなされると走査光学系９に読取走査が開始される。
【００８２】
まず、反射原稿５の画像読取走査を行う前に、反射原稿用のホワイトバランス板７によるシェーディング補正のための補正データが読取られ記憶され、反射原稿５の画像の読取によりシェーディング補正が施され、この読取画像データが出力される。これに引き続いて、透過原稿６の画像読取走査が開始される。その前に、同様にしてシェーディング補正のために透過原稿用のホワイトバランス板８による読取りが行われ補正データが記憶された後、透過原稿６の読取走査が開始される。この時、走査光学系９の第１走査部材９４を構成するランプキャリッジ９４ａの走行がストッパ２０にて阻止された時点で、これが検知され反射原稿の読取モードから透過原稿の読取モードに自動的に切換えられる。
【００８３】
そして、透過原稿６の画像の読取走査が行われ、先に読取ったシェーディング補正データを基に、シェーディング補正された読取画像データが出力される。このようにして、反射原稿５及び透過原稿６の走査光学系９による１度の走査により、連続して異なる原稿の画像を読取ることができる。
【００８４】
このように、反射原稿５と透過原稿６を１回の読取走査で連続して行えるため、その読取走査の前に、反射原稿５及び透過原稿６毎に、白黒２値モード、カラーモード、グレイモード（中間調／写真）等の設定、解像度、明るさ、読取範囲等を設定しておく。これにより、反射原稿５又は透過原稿６の読取走査において、設定されたモードでの画像の読取を行える。また、これらの切換は、上述したように反射原稿５と透過原稿６の走査領域において決定し、それにより切換が行われる。その結果、反射原稿５と透過原稿６を別々の走査により、その都度、モード設定するような手間が少なくてすみ、トータル的な読取走査の時間が大幅に短縮できる。
【００８５】
図１に示す画像読取装置の構成によれば、透過原稿６の画像を読取走査するために、反射ミラー２３を別に設けるようにしている。この反射ミラー２３にて、第１走査部材９４を構成するランプキャリッジ９４ａに支持された露光ランプ９０からの光を透過原稿６の照明用に利用している。そのため、透過原稿６を照明するための特別な露光ランプを必要としなくなる。よって、スキャナ１本体の小型化及び薄型化を可能にしている。
【００８６】
このような形態とは別に、反射ミラー２３の反射機能を拡散板２２に同時に持たせることで、反射ミラー２３を設けない場合の態様を図７（ａ）に示している。つまり、拡散板２２と一体成型された反射部材として機能を果たす反射板２２ａを形成している。反射板２２ａを拡散板２２に一体成型することで、一つの部材にて反射機能と、拡散機能を備えることができる。
【００８７】
よって、１つの部材にて、上述した両機能を果たせるため、拡散板２２への露光ランプ９０からの光の入射角度等の精度を向上できる。つまり、反射ミラー２３を別に原稿カバー２に取り付け固定する時の位置決め精度等が要求されるが、そのような精度が不要となるため、精度が向上する。これにより、透過原稿６の読取走査時の読取品位も合わせて向上する。なお、反射板２２ａの反射面には反射シート等を貼り付けることもできる。
【００８８】
また、図７（ｂ）は上述したように拡散板２２へと露光ランプ９０の光を入射させるための反射ミラー２３を個別に設けることなく、原稿カバー２を構成する反射原稿５を原稿台３へと押圧する押圧部材２１にて兼用させるようにしたものである。つまり、反射原稿５を原稿台３へと押圧するために押圧部材２１が設けられている。この押圧部材２１には、露光ランプ９０からの光を反射する白色シートが設けられている。この白色シートの反射を利用して露光ランプ９０からの光を拡散板２２へと入射させることができる。
【００８９】
そのため、押圧部材２１は、図７に示すように、最大サイズ領域を外れた部分が、例えば湾曲形状に形成された反射部２１ａを一体的に設ける。この反射部２１ａの反射面は、白色シートの反射効率より高い反射シートを別途貼り付けるようにしてもよい。また、反射部２１ａは、湾曲形状に形成されているが、これは露光ランプ９０からの光を効率よく拡散板２２へと入射させるためでもあり、集光するようにしている。また、十分な入射光量を確保できる場合には、傾斜状態に形成してもよい。
【００９０】
この反射部２１ａを設けることで、高価な反射ミラー２３を必要とせず、低コストで露光ランプ９０の光を拡散板２２へと入射させることができる。
【００９１】
以上説明したような構成において、反射原稿５及び透過原稿６の画像の読取りを、同一原稿台３上で、かつ同一走査光学系及び読取系にて行えるように構成している。ここで、透過原稿６の読取りを行う場合、露光ランプ９０からの光を透過原稿６の背面から照射させるように拡散板２２を介して行うようにしている。そのため、透過原稿６による読取り走査においては、透過原稿６を透過する光をＣＣＤ１１にそのまま忠実に結像できるため、解像度やそのための問題を解消して、良好なる読取りを可能にできる。
【００９２】
ここで、問題となるのは、露光ランプ９０を固定して、走査光学系９の一部、ここでは反射ミラー９１のみを透過原稿６に対して走査するように構成している。そのため、露光ランプ９０からの光は、拡散板２２を介して透過原稿６全体を背面から露光することになる。従って、反射原稿５を走査するために露光ランプ９０が反射ミラー９１と同時に移動するような場合と比べて絶対光量が不足することになる。
【００９３】
本発明はそのような光量不足をも同時に解消すべく、反射原稿５の走査を行う場合の光量と同程度の光量を確保して読取走査を行えるように考慮している。
【００９４】
そこで、図２は本発明にかかる露光ランプ９０の光量制御を行うための制御回路を示すブロック図である。この図において、露光ランプ９０は、点灯制御回路２５を介して駆動制御されており、露光ランプ９０の点灯時間やその時の光量に応じた駆動電流等が制御される。点灯制御回路２５は、例えば画像読取を行うＣＣＤ１１からの受光量に応じた信号を入力し、これにより露光ランプ９０の光量制御のための駆動電流等を調整制御する。
【００９５】
つまり、ＣＣＤ１１は通常、原稿からの光を受光し、その受光量に応じたアナルグ信号を出力する。このアナルグ信号は、Ａ／Ｄ変換回路へと送られデジタル化される。
【００９６】
そこで、アナルグ信号が、Ａ／Ｄ変換回路へと送られる際に、その入力電圧（信号レベル）が小さければ、Ｓ／Ｎが悪くなり、入力された画像データの劣化が生じる。また、大きければ、ＣＣＤ１１がサチュレーションをおこし、ＣＣＤ１１から精度のよい信号出力が行えず、画像の劣化を生じる。故に、Ａ／Ｄ変換回路に入力される入力電圧を調べ、その入力電圧が低くＡ／Ｄ変換するに値しない電圧であれば、受光量不足として、露光ランプ９０の輝度を上げるべく、ランプに供給する電流を大きく制御する。これとは逆に、大きい場合には、露光ランプ９０の輝度を上げるべく、ランプに供給する電流を小さくなるように制御する。
【００９７】
この場合、反射原稿５の読取り時において、ホワイトバランス板（基準白板）７の光量検出をＣＣＤ１１を介して上述したように同時に読取っており、この出力値から上述した制御を事前に行える。また、透過原稿６においてもホワイトバランス板８を走査開始前に設けており、そのホワイトバランス板８を介して得れるＣＣＤ１１からの出力により露光ランプ９０の輝度制御が合わせて行われる。この透過原稿６の読取りにおいては、どうしても光量不足であるとして、露光ランプ９０による輝度を、反射原稿５の読取りの場合に比べて上げるように制御される。
【００９８】
また、図３に示すように、露光ランプ９０は、点灯制御回路２５にて、原稿の画像を読取る１ライン毎に点灯制御される。つまり、図３（ｃ）に示すように１ラインの読取り周期ｃにおいて、露光ライン９０の点灯時間ａ又はｂが制御される。この場合、反射原稿５による点灯時間ａに対して、透過原稿６による点灯時間ｂは、図３（ａ）及び（ｂ）に示すようにａ＜ｂに設定される。従って、点灯制御回路２５は、その反射原稿５の読取りを行う場合には、１ラインの読取周期ｃ内で、露光ライン９０の点灯時間ａで制御され、透過原稿６の読取りにおいて、露光ライン９０の点灯時間ｂで制御する。
【００９９】
これにより、ＣＣＤ１１に結像される１ラインに相当する原稿の走査領域による電荷の蓄積時間が、上記露光ランプ９０の点灯時間ａ又はｂにおいて決まってくる。つまり、透過原稿６の読取走査を行う時のＣＣＤ１１の蓄積時間は、点灯時間ｂにて決まり、絶対的な光量不足を補うことができる。そのため、露光ランプ９０による輝度を上げて光量不足を解消できない場合、図３に示すように透過原稿６の読取走査において、ＣＣＤ１１の蓄積時間を長くすることで、絶対的光量を上げて、その不足を補うことが可能となる。
【０１００】
また、図３に示すように露光ランプ９０を反射原稿５と透過原稿６とで、１ライン分の読取走査における点灯時間を制御するようにしているが、露光ランプ９０を常時点灯させておき、ＣＣＤ１１側で１ライン毎の光量の蓄積時間を制御することができるシャッター機能付きＣＣＤ１１を用いる場合も考えられる。
【０１０１】
このようなシャッター機能付きＣＣＤ１１によれば、第１走査部材９４の走行に応じて、１ライン周期ｃに応じて、図４に示すように露光ランプ９０を読取走査の開始時点（又はその前）で点灯（ＯＮ）し、読取りのためのＣＣＤ１１のシャッターを開き（ＯＦＦ）、決められたＣＣＤ１１への蓄積期間後にシャッター閉じ（ＯＮ）、ＣＣＤ１１への光を遮蔽する。そのため、反射原稿５においては、ＣＣＤ１１のシャッターをＯＦＦからＯＮに切り換える蓄積期間Ｘを短く、透過原稿６においては、シャッターをＯＦＦからＯＮに切り換える蓄積時間Ｙを長く（Ｘ＜Ｙ）に設定する。
【０１０２】
このＣＣＤ１１のシャッター駆動制御においても、図２にて説明したように点灯制御回路２５にて、上述したシャッターの駆動時間、つまり蓄積時間Ｘ，Ｙをそれぞれ制御するようになっている。このような構成のものにおいても、当然先に説明た図３における露光ランプ９０による点灯時間ａ又はｂの制御と全く同一であり、その奏する効果も同一である。
【０１０３】
このように制御することで、露光ランプ９０による反射原稿５と透過原稿６による輝度を同一にした場合においても、光量不足を解消し、ＣＣＤ１１への１ラインに相当する蓄積時間を制御することで、良好なる読取を制御できる。
【０１０４】
以上に説明においては、露光ランプ９０からの光が拡散板２２を介して透過原稿６の背面を均一な状態で露光している場合である。これによる露光不足のために、露光ランプ９０の輝度を反射原稿５に対して上げる制御、又は読取ライン毎の点灯時間、あるいはＣＣＤ１１のシャッター時間の制御によりＣＣＤ１１への蓄積時間を長くすることで、解消するようにできる。しかしながら、透過原稿６の読取りにおいて、露光ランプ９０が固定されるため、読取走査方向において徐々に光量が落ちることが考えられる。これを解消する一例を以下に説明する。
【０１０５】
この実例は、本発明における最も適した実施形態であり、特に透過原稿６の読取りにおいて有効なものとなる。そのために、透過原稿６の走査において、露光ランプ９０を停止させ、その光を透過原稿６の背面より露光し、その時の透過光をＣＣＤ１１に結像させることで良好な読取りを可能にできる。しかし、この場合の光量不足を補うために、透過原稿６を光学的に走査するためのミラーキュリア９４ｂの走査速度を徐々に遅くするように制御する。
【０１０６】
つまり、反射原稿５によるランプキャリッジ９４ａ及びミラーキャリッジ９４ｂの第１走査部材９４の走行速度に対し、透過原稿６の読取走査のために、ミラーキャリッジ９４ｂの走行速度を徐々に遅くするように駆動制御している。
【０１０７】
このように構成することで、透過原稿６の走査開始位置から、徐々に走査終了部分へと走査さる毎に、１ラインを走査する時間が徐々に遅くなる。つまり、図１に示すように透過原稿６の走査開始点ｓの時の走査速度を最大とし、終了点ｅにておいて最小速度になるように制御する。
【０１０８】
この時、ミラーユニット９４ｂが徐々に走行速度が遅くなることで、１ラインの走査に要する時間が徐々に長くなる。その長くなる分を利用して、露光ランプ９０の点灯時間ｂ又はＣＣＤ１１のシャッターの駆動時間（Ｙ）を長くなるように点灯制御回路２５を介して制御する。これにより、１ライン走査におけるＣＣＤ１１への原稿６からの光像の蓄積時間が長くなり、全体の光量が増す傾向にある。そのため、走査方向に徐々に光量が低下するような場合、その光量不足を、走査速度を徐々に遅くすることで、ＣＣＤ１１への蓄積時間が徐々に長くできるため解消でき、良好なる読取りを行える。
【０１０９】
図８には、反射原稿５と透過原稿６による読取走査速度と、１ライン毎に読取走査周期ｃにおいて、露光ランプ９０の点灯時間ａ又はｂのタイミングチャートを示す。このように、反射原稿５の読取走査速度は、決められた一定速度（Ｖ）で走査されることで、その読取周期ｃは一定間隔で行われる。
【０１１０】
そして、透過原稿６の読取走査速度は、図に示すように徐々に遅くすることで、１ライン相当の読取周期ｃは徐々に長くなる。この長くなる周期に合わせてＣＣＤ１１への蓄積時間を長くするために、露光ランプ９０の点灯時間ｂを徐々に長くなるように制御される。この図８は露光ランプ９０の点灯時間を図示しているが、当然ＣＣＤ１１側のシャッターの駆動時間を制御することもできる。
【０１１１】
なお、上述した制御のみでなく、露光ランプ９０の輝度を、反射原稿５の読取りに比べて、透過原稿６の読取りについて上げておくことも重要なものとなる。つまり、透過原稿６の読取りは、拡散板２２を設けて、原稿６背面より全体を照射するようにしているため、絶対的な光量が大きく低下する。これを補うためには、露光ランプ９０の輝度を上げてることを併用しておけば、さらに良好なる読取りを可能にできる。
【０１１２】
そのため、図２に示すようにＣＣＤ１１からの受光出力に応答して、露光ランプ９０に供給する電流を制御し、輝度制御を行える。特に、透過原稿６の読取走査前にはホワイトバランス板８を走査しており、この時の光量がＣＣＤ１１を介して得られる。その出力に応じて、点灯制御回路２５にて露光ランプ９０に供給する電流を調整制御し、発光輝度を上げることができる。これにより、透過原稿６の読取開始時点での光量を反射原稿５の読取り時の光量と同等に調整制御できる。そして、透過原稿６の走査方向に徐々に光量低下が生じる場合、走査速度を徐々に遅くすることで、その不足を上述したように解消できる。
【０１１３】
また、図１においては、露光ランプ９０を１本設けるようにしているが、露光ランプ９０を２本並設するようにして配置し、反射原稿５の場合には１本のみ駆動し、透過原稿６の読取りの場合に、２本とも駆動して、全体での光量を増すこともできる。そして、１本の露光ランプ９０において、ホワイトバランス板８の走査に応じて得られるＣＣＤ１１からの出力に応じて輝度調整を行うようにすることもできる。
【０１１４】
ここで、ミラーキャリッジ９４ｂを含む第１走査部材９４を走行駆動するために、駆動モータが設けられている。この駆動モータはステッピングモータ等を用いることで、簡単に速度制御を行える。つまり、駆動モータの回転速度を透過原稿６の読取走査に応じて、徐々にその速度を遅くするように制御すればよい。
【０１１５】
このような実施形態によれば、走査方向において徐々に走査速度を低下させ、その時の走査速度の低下に応じて、例えば露光ランプ９０の点灯時間ｂを長くなるように制御することで、ＣＣＤ１１の蓄積時間が長くなる。そのため、走査方向に徐々に光量が低下する場合においても、良好に光量不足を補正でき、良好なる読取りを可能にできる。
【０１１６】
（第１の実施形態による他の態様）
以上説明した本発明の第１の実施形態によれば、透過原稿６の走査において、反射原稿５の一定の走査速度に対し、走査速度を走査方向に徐々に遅くなるように制御している。
【０１１７】
これとは別に、透過原稿６の走査速度を一定にして、露光ランプ９０の点灯時間ｂを徐々に長くすることもで同様に実施できる。この場合、透過原稿６の走査速度は、反射原稿５の走査速度より遅くする。例えば、反射原稿５の走査速度Ｖに対して、透過原稿６の一定の走査速度をＶ／２程度に設定する。
【０１１８】
このように設定すれば、例えば１ライン分の走査時間が反射原稿５の場合の２倍になる。その分、光量不足を補うことが可能となる。しかも、走査方向において光量が徐々に低下するような場合には、透過原稿６の走査開始点ｓからの１ラインにおける露光ランプ９０による点灯時間ｂに対して、その点灯時間ｂを徐々に長くなるように点灯制御回路２５にて駆動制御する。
【０１１９】
このような構成においても、走査方向に徐々に光量を低下する場合においても、その光量不足を良好に補償でき、透過原稿６による良好なる読取りが可能となる。
【０１２０】
図９には、反射原稿５と透過原稿６との走査速度の関係、及びその走査速度に応じた１ラインの読取走査周期ｃと、露光ランプ９０の駆動時間との関係を示している。この図９に示すように、上述したように、反射原稿５の走査速度Ｖに対し、透過原稿６の走査速度Ｖ／２とした時、透過原稿６の１ラインの読取周期は反射原稿５に対して単純に２倍になる。但し、透過原稿６の走査ラインの密度を上げるために、上記周期ｃを短くすることも可能である。
【０１２１】
これにより、透過原稿６による光量不足をＣＣＤ１１への蓄積時間を調整制御することで補うことができ、また走査方向の光量が徐々に低下する場合においても、徐々に蓄積時間を長くなるように制御することで合わせて解消できる。
【０１２２】
（本発明の第２の実施形態）以上説明した第１の実施形態によれば、透過原稿６の読取走査において、特に露光ランプ９０を固定し、反射ミラー９１のみを載置される透過原稿６対して走行移動させるように制御している。この場合、露光ランプ９０は、反射ミラー２３にて、拡散板２２へと導かれ、透過原稿６の背面より均一な光を照射するようにしている。
【０１２３】
しかし、透過原稿６の走査方向においては、露光ランプ９０より徐々に遠くになるため、その光量が徐々に低下し、それを補うべく、反射ミラー９１による走査速度を徐々に遅くするか、あるいは一定に制御して露光ランプ９０等の点灯時間、つまりＣＣＤ１１への蓄積時間を長くなるように制御している。
【０１２４】
これに対し、露光ランプ９０からの光による透過原稿６の走査光量が、その走査方向において均一な分布状態を示す場合には、上述したように走査速度を徐々に遅くする必要もなく、またＣＣＤ１１への蓄積時間を徐々に長くなるように制御することも必要でなくなり、反射原稿５と同様の走査、及び読取制御を実行できる。
【０１２５】
そのため、制御回路等による負担が大きく軽減でき、さらなるコスト低減が可能になる。つまり、走査速度を徐々に遅くするような制御を必要としないため、そのための駆動制御回路を省ける。また、蓄積時間を徐々に長くなるように制御する必要もなくなるため、そのための回路構成を省ける。
【０１２６】
そこで、図９に示す構成において、拡散板２２の背面、つまり透過原稿６と対向する面と反対側の面に反射板２６を設けている。この反射板２６は、図に示すようにその反射率が透過原稿６の走査方向に沿って徐々に高くなるように構成されたものである。
【０１２７】
このような構成によれば、露光ランプ９０からの光は反射ミラー２３にて拡散板２２の一端面よる入射される。そして、拡散板２２の背面側の反射板２６が、図に示すような反射特性を示すことで、走査開始位置に比べ走査終了方向に沿って徐々に反射率が高くなるため、その方向への光量低下を補い、走査方向の光量分布を一定レベルに設定可能となる。この反射率の特性は、予め光量を測定しておき、決定すればよい。
【０１２８】
従って、露光ランプ９０を固定し、ミラーキャリッジ９４ｂのみ走行させ、透過原稿６を走査するようにしても、ＣＣＤ１１に受光される光量を、走査方向において一定にできる。これにより、走査速度を徐々に遅くしたり、またＣＣＤ１１への蓄積時間を長く制御する必要がなくなる。
【０１２９】
ここで、露光ランプ９０による絶対的な光量不足が存在する場合には、露光ランプ９０による輝度を上げるように、露光ランプ９０を駆動するために供給する電流量を上げるように制御するか、また２本の露光ランプ９０を設ける構成とした場合、反射原稿５の走査においては１本のみ点灯させ、透過原稿６走査において、２本の露光ランプ９０を点灯制御し、全体での光量不足を解消できる。
【０１３０】
以上説明したように、本発明の画像読取装置においては、反射原稿５と同様に、透過原稿６を走査して読取ることができ、その時の走査方向も同一で、また同一の原稿台３にて構成している。これにより同一の走査光学系、同一の読取系を用いて画像の読取りを行える。そのため、装置の小型化と同時にコスト低減を可能にできる。
【０１３１】
さらに、透過原稿６の読取りにおいては、透過原稿６の背面側より露光ランプ９０からの光を照射するようにしており、透過原稿６を光が２度通過することで読取る時の不具合を解消して良好なる画像の読取りを可能にしている。この場合、露光ランプ９０を固定しているが、その光量不足による画像読取不良を解消するために、走査ミラーを走行する速度を徐々に遅くするか、あるいはＣＣＤ１１側での蓄積時間を徐々に長くするようにすることで、解消している。また、透過原稿６の背面の光量分布を走査方向において均一になるように構成することで、走査速度を一定速度することでも良好なる読取りを可能にしている。
【０１３２】
（本発明の実施形態における他の態様）
本発明による第１の実施形態によれば、透過原稿６の読取走査において、反射ミラー９１による走査速度徐々に遅くするようにしている。これは、先に説明した通り、露光ランプ９０からの光が拡散板２２に入射され、走査方向において均一な光量分布にならないことによる。
【０１３３】
そこで、拡散板２２における全体の光量が均一か否かを確認することで、その時の走査速度を決定するようにすることもできる。例えば、図１０において、露光ランプ９０からの光が拡散板２２に入射する位置と反対側、つまり透過原稿６の走査終了位置に対応する拡散板２２の端面に、拡散板２２による透過原稿の終了端の光量を検出する光量センサ２７を設けている。
【０１３４】
この光量センサ２７は、例えばＣＣＤ１１による出力状態を同一の出力を得るものを用いる。この場合、ＣＣＤ１１の出力と、光量センサ２７は、同一光量を受光した時に、同一出力となるように予め調整設定されている。そして、透過原稿６を走査を開始する前のホワイトバランス板８を走査している時のＣＣＤ１１の出力と、光量センサ２７による出力とを比較し、その比較結果において、同一であれば、拡散板２２にて透過原稿６の全体を均一に露光していることを認識できる。この場合には、透過原稿６の走査速度は、一定にする。
【０１３５】
また、光量センサ２７の出力が、ＣＣＤ１１からの出力より小さく、その時の光量差に応じて透過原稿６の走査終了時点の走査速度を決定し、走査開始速度に対して走査終了時点の速度に直線的に低下制御させることが可能となる。これにより、光量に応じた制御が可能となり、より良好なる読取を可能にできる。そして、速度低下に応じて、ＣＣＤ１１の蓄積時間を徐々に長くなるように制御することで、さらに良好なる読取りを行える。
【０１３６】
（本発明を実施することによる他の効果）
以上説明した画像読取装置の構成によれば、反射原稿５と透過原稿６個別に載置する領域を有した原稿台３をを用いている。即ち、原稿カバー２が、反射原稿５及び透過原稿６を原稿台３上に押圧するように押圧部材２１は、例えばＡ４サイズの長手方向まで読取可能なように設定されている。そして、それ以後の原稿台３の領域に対応して、透過原稿６を載置するようにしている。そして、その透過原稿６の載置領域に対応させて拡散板２２を、原稿カバー２を設けている。
【０１３７】
このような原稿カバー２は、スキャナ１本体の一側端に対して着脱可能に設け、別の構成による例えば図１１に示すような原稿カバー２ａを装着可能に設けることもできる。つまり、原稿台３が１枚ものであり、走査光学系９においても、原稿台３に沿って移動可能となっている。
【０１３８】
そのため、図１１に示すようにＡ４サイズより長い、例えばリーガルサイズの反射原稿５ａを原稿台３に載置して読取ることができる。このリーガルサイズの長手方向の長さは３５５．６ｍｍであり、Ａ４サイズの長手方向の長さは２９７ｍｍである。
【０１３９】
図１に示す原稿カバー２を取り外し、図１１に示す構成の原稿カバー２ａを装着する。この原稿カバー２ａは、原稿台３にリーガルサイズの反射原稿５ａが載置された時に、その全域を上部より均等に押圧できる押圧部材２１ｂを設けている。そして原稿カバー２ａには、図１に示すように透過原稿６に対応した拡散板２２を取り付けることなく、その取り付け位置に延長するように、上述した押圧部材２１ｂが延長して設けられている。
【０１４０】
そして、走査光学系９においては、第１走査部材９４を構成するランプキャリッジ９４ａがストッパ２０ａの位置で停止され、ミラーキャリッジ９４ｂのみが、ランプキャリッジ９４ａより分離した状態で走行されるため、例えばリーガルサイズの反射原稿５ａを十分に光照射できなくなる。そのため、ストッパ２０を、ランプキャリッジ９４ａの走査領域から離間させれば、ランプキャリッジ９４ａは、ミラーキャリッジ４ｂと分離されることなく、密着した状態で走行させる。
【０１４１】
そこで、ストッパ２０ａは、図１１に示すように、回動可能に軸支されたレバー２０ｂに連結され、ランプキャリッジ９４ａに設けられている係止突起１９より離れるようになっている。このストッパ２０ａは、原稿カバー２ａがスキャナ１本体に装着されることで、これに連動させて矢印Ｇ方向に回動させるように構成しておき、ストッパ２０ａとしての機能を果たさなくなるよう構成される。または、原稿カバー２ａ側に、ストッパ２０ａをＧ方向に回動させる部材を対応して設けておき、原稿カバー２ａを閉じた状態でストッパ２０ａを回動させるように構成することもできる。
【０１４２】
また、図１においては、透過原稿６を載置する領域に、ホワイトバランス板８を原稿台３上に設けるように構成されていることを説明している。このホワイトバランス板８については、拡散板２２側に設けるようにしておけば原稿台３上には、ホワイトバランス板８が存在しなくなる。よって、図１１に示す構成の原稿カバー２ａをスキャナ１本体に装着しても、長い反射原稿５を読取ることができる。
【０１４３】
以上のような構成において、読取原稿が、Ａ４サイズより長い反射原稿５ａの画像を読取る場合には、図１１に示すような原稿カバー２ａを、図１に示す構造の原稿カバー２に代えて交換する。そして、長い反射原稿５ａを原稿台３上に載置する。反射原稿５ａの一端部を基準端縁３ａに揃えて載置すれば、その一端部の反対側の後端は、図１における透過原稿６の載置領域にも及ぶことになる。そして、原稿カバー２ａを閉じ、読取開始指令がなされると、走査光学系９の走行駆動が行われる。
【０１４４】
走査光学系９は、第１走査部材９４が図１１に示す矢印方向にそれぞれの速度で走行される。第１走査部材９４は、ランプキャリッジ及びミラーキャリッジ９４ａ，９４ｂが連結部材１５にて連結されているため、一体で走行される。これにより、露光ランプ９０の光は反射原稿５ａを照射し、その反射光が第１反射ミラー９１にて反射しながら走行される。
【０１４５】
そして、第１走査部材９４の走査速度の１／２の速度で走行駆動される第２走査部材９５は、その第２及び第３反射ミラー９２，９３にて上記反射ミラー９１にて反射された光を結像レンズ１２を介して読取ユニット１０のＣＣＤ１１へと導く。これによりＣＣＤ１１からは、反射原稿５ａの濃度に応じた読取画像データを出力する。
【０１４６】
上述した走査を継続し、第１走査部材９４がストッパ２０ａの位置、つまりランプキャリッジ９４ａの係止突起１９がストッパ２０ａの位置に達しても、このストッパ２０ａは破線で示す状態に回動されている。そのため、ランプキャリッジ９４ａの走行が規制されず、ミラーキャリッジ９４ｂと一体化した状態で走査を継続する。その後、図５に示すように、ミラーキャリッジ９４ｂに支持された第１反射ミラー９１が、反射原稿５ａの後端位置を走査する。
【０１４７】
このようにして、例えば通常サイズ（例えばＡ４サイズ）より長い反射原稿５ａの後端を走査を完了すれば、走査光学系９を元のホームポジションへと復帰走行する。つまり、走査方向とは逆方向に走行駆動される。よって、長い反射原稿５ａの画像読取を行う場合には、原稿台３の全て領域を有効利用し、読取可能にしている。このようなことは従来技術ではできなかったことであり、本発明を実施することで初めて可能になる。また、これによりスキャナ１本体が大型化することはない。
【０１４８】
なお、原稿カバー２をスキャナ１本体に対して着脱可能に設ける構成の一例を図１を参照に説明する。これは、一例であり、他の構成を用いてもよい。この原稿カバー２は、一側端部４で軸支されており、該原稿カバー２が開閉可能となっている。そして、スキャナ１本体の軸支部１ａに、原稿カバー２の一側端部４を軸支する。この軸支部１ａをスキャナ１本体に着脱可能にする。つまり、軸支部１ａに設けた挿入棒１ｂを、スキャナ１本体の外装１ｃに挿入できるようにして取り付け自在に設ける。
【０１４９】
以上説明したように、図１に示す第１の実施形態によるスキャナ１によれば、同一の原稿台３面を利用し、かつ同一走査光学系９、読取ユニット１０を用いて反射原稿５、透過原稿６の画像読取を行える。そして、図５に示す第２の実施形態によるスキャナ１においては、図１に示すスキャナ１をそのまま利用し、長い反射原稿５ａの画像読取を可能にするようにしている。そのため、図１に示すスキャナ１においては、ホワイトバランス板８を原稿台３表面に貼り付ける場合には、それが邪魔になり、原稿カバー２側の拡散板２２側に貼り付けることを説明した。
【０１５０】
この場合、図１に示すように透過原稿６の画像を読取るために、原稿台３に載置する位置を決めることができなくなる。そこで、原稿台３の読取走査領域より外れた位置に、反射原稿６の一側端を合わせる基準端縁を示す目盛り等を設けるとよい。この目盛りは、原稿台３を保持するために設けらられた周囲のフレーム等の縁に設けることもできる。
【０１５１】
また、図１に示す原稿カバー２において、拡散板２２側に透明なフィルム等からなる挿入部を設け、外挿入部より透過原稿６を挿入し、その透過原稿６の先端を、拡散板２２に設けられたホワイトバランス板８の端部に揃えるようにする。この状態で原稿カバー２を閉じると、透過原稿６は、原稿台３に拡散板２２を介して押圧される。また、ホワイトバランス板８も合わせて原稿台３に密着し、ホワイトバランス板８による光学的な走査に続いて透過原稿６の光学的な走査を行える。
【０１５２】
一方、図５に示すように本発明による走査光学系９を構成する第１走査部材９４は、ランプキャリッジ９４ａ及びミラーキャリッジ９４ｂを分離可能なように連結部材１５にて連結されている。この連結部材１５は、両端部にそれぞれ設けている。しかも、走行部材９６の取り付け位置に近接させて連結部材１５が設けられている。
【０１５３】
これは、走行部材９６にて第１走査部材９４を構成するミラーキャリッジ９４ｂがランプキャリッジ９４ａより分離して、透過原稿６を光学的に走査する場合、ミラーキャリッジ９４ｂの読取走査による走行を安定させることができる。つまり、連結部材１５を走行部材９６の近傍に設けることで、連結棒１６に沿ってミラーキャリッジ９４ｂをスムースに移動でき、この時に走行駆動する斜め方向の力が作用せずに、こじれ等を防止できる。そのため、第１反射ミラー９１の傾きを防止し、光軸のずれによる読取不良を防止できる。
【０１５４】
図５に示す例は、第１走査部材９４の特にミラーキャリッジ９４ｂの両側に走行部材９６が取り付け固定され、走行駆動するようにしている。そのため、それぞれに近接させて連結手段１５を設けている。ここで、１個の連結手段１５のみ設ける場合、ミラーキャリッジ９４ｂがランプキャリッジ９４ａより分離して走行駆動させる場合の安定性を確保し、上述した反射ミラー９１の傾斜を防止するには、第１走査部材９４の中央部、つまりミラーキャリッジ９４ｂの中央部が連結棒１６にて移動可能に支持されるようにに連結手段１５を設ければよい。
【０１５５】
このように中央部に連結手段１５を設けることで、第１走査部材９４のミラーキャリッジ９４ｂの両側が走行部材９６にて走行駆動される時に、両側でのバランスが取られ、よってこじれ等による傾きが防止できる。
【０１５６】
【発明の効果】
以上説明した本発明の画像読取装置によれば、原稿台に反射原稿及び透過原稿を載置し、同一方向から、同一の走査光学系を走行させ、同一の読取系にて画像を読取るようにしているため、装置全体を小型化でき、コスト低減を可能にしている。
【０１５７】
また、透過原稿の読取りを光学系を走査して行う場合、透過原稿の背面側から露光するようにしたことで、透過原稿を走査して読取る場合、忠実な画像読取りを行える。
【０１５８】
この場合、透過原稿の背面から露光するために、露光ランプを停止し、他の光学系を走査制御するため、走査方向への光量不足、低下、を走査速度を徐々に遅くしたり、読取素子への光像の蓄積時間を長くするように制御することで、補い、良好なる光量による読取りを可能にできる。
【０１５９】
また、透過原稿の背面を露光するための拡散板に、露光走査方向に徐々に反射率が高くなる反射板を設けるようにしておくこで、透過原稿の背面での露光光量を走査方向において均一な分布に補正でき、よって走査速度の制御や蓄積時間の制御を不要にできる。
【図面の簡単な説明】
【図１】本発明の第１の実施形態を説明するための画像読取装置であるスキャナの内部構造を示す構成図である。
【図２】図１に示す画像読取装置において、走査光学系を構成する露光ランプ、読取素子の駆動制御にかかるブロック図である。
【図３】図２に示すブロック図における露光ランプの点灯時間制御にかかるタイミングチャートである。
【図４】図２にかかるブロック図において、シャッター機能付きの読取素子におけるシャッター時間の制御にかかるタイミングチャートである。
【図５】図１における画像読取装置において、走査光学系を構成する第１走査部材を分離走行可能にしてなる連結機構の一例を示す斜視図である。
【図６】走査光学系を走行駆動させるための一例を示す図である。
【図７】図１に示す画像読取装置における露光ランプからの光を透過原稿の読取りにかかる拡散板へと導く反射ミラーの他の構成例を示す図である。
【図８】本発明の第１の実施形態による反射原稿と透過原稿との速度特性の関係、及びその速度特性に応じて反射原稿及び透過原稿による１ラインの読取周期と、それによる露光ランプの駆動時間との関係を示すタイミングチャートである。
【図９】本発明の第１の実施形態による他の態様において、反射原稿と透過原稿との速度特性の関係、及びその速度特性に応じて反射原稿及び透過原稿による１ラインの読取周期と、それによる露光ランプの駆動時間との関係を示すタイミングチャートである。
【図１０】本発明の第２の実施形成を説明するための画像読取装置であるスキャナの透過原稿の読取走査領域部分を示す構成図である。
【図１１】本発明にかかる画像読取装置の実施形態による他の利点による構成を説明するための構成図である。
【符号の説明】
１    スキャナ（画像読取装置）
２    原稿カバー
３    原稿台
５    反射原稿
６    透過原稿
７    反射原稿のホワイトバランス板
８    透過原稿のホワイトバランス板
９    走査光学系
１０    読取ユニット
１１    ＣＣＤ
１２    結像レンズ
１５    連結手段
１６    連結棒
１８    圧縮スプリング
１９    係止突起
２０    ストッパ
２１ａ  反射ミラー（反射部材）
２２    拡散板
２３    反射ミラー（反射部材）
２３ａ  反射ミラー（反射部材）
２５    点灯制御回路
２６    反射板
２７    光量センサ
９０    露光ランプ
９１    反射ミラー（走査光学系）
９４    第１走査部材
９５    第２走査部材
９４ａ  ランプキャリッジ
９４ｂ  ミラーキャリッジ
【図１】
0003634188.tif 000002
【図２】
0003634188.tif 000003
【図３】
0003634188.tif 000004
【図４】
0003634188.tif 000005
【図５】
0003634188.tif 000006
【図６】
0003634188.tif 000007
【図７】
0003634188.tif 000008
【図８】
0003634188.tif 000009
【図９】
0003634188.tif 000010
【図１０】
0003634188.tif 000011
【図１１】
0003634188.tif 000012